【手続補正書】
【提出日】平成30年11月19日(2018.11.19)
【手続補正１】
【補正対象書類名】特許請求の範囲
【補正対象項目名】全文
【補正方法】変更
【補正の内容】
【特許請求の範囲】
【請求項１】
ワイヤレス通信の方法において、
送信機によって、競合ベース無線周波数スペクトルを利用する少なくとも１つのキャリア上で、成功した拡張クリアチャネルアセスメント−ＥＣＣＡ−検査を検出することと、ここにおいて、前記成功したＥＣＣＡ検査が、現在サブフレーム、現在スロット、または現在シンボルの内の１つの、サブフレーム、スロット、またはシンボルの内の１つの境界より前に行われ、
前記送信機によって、前記少なくとも１つのキャリア上で、前記現在サブフレームの後の後続のサブフレームにおいて開始するチャネル予約信号を送信することとを含む方法。
【請求項２】
前記送信機によって、前記少なくとも１つのキャリア上で、前記成功したＥＣＣＡ検査と前記現在サブフレームのサブフレーム境界との間で、フラクショナルチャネル予約信号を送信することをさらに含み、ここにおいて、前記フラクショナルチャネル予約信号が、第１のシーケンスを使用して生成され、
ここにおいて、前記チャネル予約信号が、前記第１のシーケンスとは異なる第２のシーケンスを使用して生成される請求項１記載の方法。
【請求項３】
前記送信機によって、前記少なくとも１つのキャリア上での送信のためのデータを検出することと、
前記送信機によって、前記成功したＥＣＣＡ検査を検出することに応答して、前記第１のシーケンスを生成することと、
前記送信機によって、前記サブフレーム境界に達することに応答して、前記第２のシーケンスを生成することと、
前記送信機によって、前記後続のサブフレームの後に、前記データを送信することとをさらに含む請求項１記載の方法。
【請求項４】
前記送信機によって、前記成功したＥＣＣＡ検査の時間を検出することと、
前記送信機によって、前記時間と前記現在サブフレームの現在サブフレームタイミングとを比較することと、
前記送信機によって、前記時間が前記サブフレーム境界より前にあると決定することとをさらに含む請求項１記載の方法。
【請求項５】
前記第１のシーケンスが、前記第２のシーケンスの導出されたバージョンであり、
前記導出されたバージョンが、好ましくは、
前記第２のシーケンスの反転順序、
前記第２のシーケンスの反転同相／直角位相順序、または
別のシーケンスによって乗算された前記第２のシーケンスの内の１つである請求項１記載の方法。
【請求項６】
前記送信機によって、前記後続のサブフレームにおいて前記チャネル予約信号を送信することより前にクリアチャネルアセスメント−ＣＣＡ−検査を実行することと、
前記送信機によって、前記ＣＣＡ検査の結果を検出することと、ここにおいて、前記送信することが、成功したＣＣＡ検査に応答して行われるをさらに含み、
前記方法は、好ましくは、
前記送信機によって、前記成功したＥＣＣＡ検査と前記サブフレーム境界との間のアイドル時間を決定すること、ここにおいて、前記ＣＣＡ検査を実行することが、前記アイドル時間が所定のしきい値を超えることに応答して行われるをさらに含む請求項１記載の方法。
【請求項７】
プログラムコードを記録した非一時的コンピュータ可読媒体において、
前記プログラムコードは、
送信機によって、競合ベース無線周波数スペクトルを利用する少なくとも１つのキャリア上で、成功した拡張クリアチャネルアセスメント−ＥＣＣＡ−検査を検出することをコンピュータに行わせるためのプログラムコードと、ここにおいて、前記成功したＥＣＣＡ検査が、現在サブフレーム、現在スロット、または現在シンボルの内の１つの境界より前に行われ、
前記送信機によって、前記少なくとも１つのキャリア上で、前記成功したＥＣＣＡ検査と前記現在サブフレームのサブフレーム境界との間で、フラクショナルチャネル予約信号を送信することを前記コンピュータに行わせるためのプログラムコードと、ここにおいて、前記フラクショナルチャネル予約信号が、第１のシーケンスを使用して生成され、
前記送信機によって、前記少なくとも１つのキャリア上で、前記現在サブフレームの後の後続のサブフレームにおいて開始するチャネル予約信号を送信することを前記コンピュータに行わせるためのプログラムコードと、ここにおいて、前記チャネル予約信号が、前記第１のシーケンスとは異なる第２のシーケンスを使用して生成されるを含む非一時的コンピュータ可読媒体。
【請求項８】
前記送信機によって、前記少なくとも１つのキャリア上での送信のためのデータを検出することを前記コンピュータに行わせるためのプログラムコードと、
前記送信機によって、前記成功したＥＣＣＡ検査を検出することに応答して、前記第１のシーケンスを生成することを前記コンピュータに行わせるためのプログラムコードと、
前記送信機によって、前記サブフレーム境界に達することに応答して、前記第２のシーケンスを生成することを前記コンピュータに行わせるためのプログラムコードと、
前記送信機によって、前記後続のサブフレームの後に前記データを送信することを前記コンピュータに行わせるためのプログラムコードとをさらに含む請求項７記載の非一時的コンピュータ可読媒体。
【請求項９】
前記送信機によって、前記成功したＥＣＣＡ検査の時間を検出することを前記コンピュータに行わせるためのプログラムコードと、
前記送信機によって、前記時間と前記現在サブフレームの現在サブフレームタイミングとを比較することを前記コンピュータに行わせるためのプログラムコードと、
前記送信機によって、前記時間が前記サブフレーム境界より前にあると決定することを前記コンピュータに行わせるためのプログラムコードとをさらに含む請求項７記載の非一時的コンピュータ可読媒体。
【請求項１０】
前記第１のシーケンスは、前記第２のシーケンスの導出されたバージョンであり、
前記導出されたバージョンは、好ましくは、
前記第２のシーケンスの反転順序、
前記第２のシーケンスの反転同相／直角位相順序、または
別のシーケンスによって乗算された前記第２のシーケンスの内の１つである請求項７記載の非一時的コンピュータ可読媒体。
【請求項１１】
ワイヤレス通信のために構成されている装置において、
前記装置は、
少なくとも１つのプロセッサと、
前記少なくとも１つのプロセッサに結合されているメモリと
を具備し、
ここにおいて、前記少なくとも１つのプロセッサは、
送信機によって、競合ベース無線周波数スペクトルを利用する少なくとも１つのキャリア上で、成功した拡張クリアチャネルアセスメント−ＥＣＣＡ−検査を検出することと、ここにおいて、前記成功したＥＣＣＡ検査が、現在サブフレーム、現在スロット、または現在シンボルの内の１つの境界より前に行われ、
前記送信機によって、前記少なくとも１つのキャリア上で、前記現在サブフレームの後の後続のサブフレームにおいて開始するチャネル予約信号を送信することと、ここにおいて、前記チャネル予約信号が、前記第１のシーケンスとは異なる第２のシーケンスを使用して生成されるを行うように構成されている装置。
【請求項１２】
前記送信機によって、前記少なくとも１つのキャリア上で、前記成功したＥＣＣＡ検査と前記現在サブフレームのサブフレーム境界との間で、フラクショナルチャネル予約信号を送信することと、ここにおいて、前記フラクショナルチャネル予約信号が、第１のシーケンスを使用して生成され、
前記送信機によって、前記少なくとも１つのキャリア上での送信のためのデータを検出することと、
前記送信機によって、前記成功したＥＣＣＡ検査を検出することに応答して、前記第１のシーケンスを生成することと、
前記送信機によって、前記サブフレーム境界に達することに応答して、前記第２のシーケンスを生成することと、
前記送信機によって、前記後続のサブフレームの後に前記データを送信することとを行うための前記少なくとも１つのプロセッサの構成をさらに含む請求項１１記載の装置。
【請求項１３】
前記送信機によって、前記成功したＥＣＣＡ検査の時間を検出することと、
前記送信機によって、前記時間と前記現在サブフレームの現在サブフレームタイミングとを比較することと、
前記送信機によって、前記時間が前記サブフレーム境界より前にあると決定することとを行うための前記少なくとも１つのプロセッサの構成をさらに含む請求項１１記載の装置。
【請求項１４】
前記第１のシーケンスは、前記第２のシーケンスの導出されたバージョンであり、
前記導出されたバージョンは、好ましくは、
前記第２のシーケンスの反転順序、
前記第２のシーケンスの反転同相／直角位相順序、または
別のシーケンスによって乗算された前記第２のシーケンスの内の１つである請求項１１記載の装置。
【請求項１５】
実行されるとき、請求項１から６のうちのいずれかにしたがう方法をプロセッサに実行させる命令を含むコンピュータプログラム。
【手続補正２】
【補正対象書類名】明細書
【補正対象項目名】０１０１
【補正方法】変更
【補正の内容】
【０１０１】
[00107]  本開示についての以上の説明は、いかなる当業者もが、本開示を作成または使用することができるように提供されたものである。本開示への様々な変更は当業者には容易に明らかになり、本明細書で定義された一般原理は、本開示の精神または範囲から逸脱することなく他の変形形態に適用され得る。よって、本開示は、本明細書で説明された例および設計に限定されることを意図するものではなく、本明細書で開示された原理および新規の特徴に合致する最も広い範囲を与えられるべきである。
以下に、本願出願の当初の特許請求の範囲に記載された発明を付記する。
［１］  送信機によって、競合ベース無線周波数スペクトルを利用する少なくとも１つのキャリア上で、成功した拡張クリアチャネルアセスメント（ＥＣＣＡ）検査を検出することと、ここにおいて、前記成功したＥＣＣＡ検査は、現在サブフレーム、現在スロット、または現在シンボルの内の１つの、サブフレーム、スロット、またはシンボルの内の１つの境界より前に行われ、
前記送信機によって、前記少なくとも１つのキャリア上で、前記成功したＥＣＣＡ検査と前記現在サブフレームのサブフレーム境界との間で、フラクショナルチャネル予約信号を送信することと、ここにおいて、前記フラクショナルチャネル予約信号が、第１のシーケンスを使用して生成され、
前記送信機によって、前記少なくとも１つのキャリア上で、前記現在サブフレームの後の後続のサブフレームにおいて開始するチャネル予約信号を送信することと、ここにおいて、前記チャネル予約信号が、前記第１のシーケンスとは異なる第２のシーケンスを使用して生成される、を備える、ワイヤレス通信の方法。
［２］  前記送信機によって、前記少なくとも１つのキャリア上での送信のためのデータを検出することと、
前記送信機によって、前記成功したＥＣＣＡ検査を前記検出することに応答して、前記第１のシーケンスを生成することと、
前記送信機によって、前記サブフレーム境界に達することに応答して、前記第２のシーケンスを生成することと、
前記送信機によって、前記後続のサブフレームの後に、前記データを送信することとをさらに含む、［１］に記載の方法。
［３］  前記送信機によって、前記成功したＥＣＣＡ検査の時間を検出することと、
前記送信機によって、前記時間と前記現在サブフレームの現在サブフレームタイミングとを比較することと、
前記送信機によって、前記時間が前記サブフレーム境界より前にあると決定することとをさらに含む、［１］に記載の方法。
［４］  前記第１のシーケンスが、前記第２のシーケンスの導出されたバージョンである、［１］に記載の方法。
［５］  前記導出されたバージョンが、
前記第２のシーケンスの反転順序、
前記第２のシーケンスの反転同相／直角位相順序、または
別のシーケンスによって乗算された前記第２のシーケンス、の内の１つである、［４］に記載の方法。
［６］  送信機によって、競合ベース無線周波数スペクトルを利用する少なくとも１つのキャリア上で、成功した拡張クリアチャネルアセスメント（ＥＣＣＡ）検査を検出することと、ここにおいて、前記成功したＥＣＣＡ検査が、現在サブフレーム、現在スロット、または現在シンボルの内の１つの境界より前に行われ、
前記送信機によって、前記少なくとも１つのキャリア上で、前記現在サブフレームの後の後続のサブフレームにおいて開始するチャネル予約信号を送信することと、を備える、ワイヤレス通信の方法。
［７］  前記送信機によって、前記後続のサブフレームにおいて前記チャネル予約信号を前記送信することより前にクリアチャネルアセスメント（ＣＣＡ）検査を実行することと、
前記送信機によって、前記ＣＣＡ検査の結果を検出することと、ここにおいて、前記送信することが、成功したＣＣＡ検査に応答して行われる、をさらに含む、［６］に記載の方法。
［８］  前記送信機によって、前記成功したＥＣＣＡ検査と前記サブフレーム境界との間のアイドル時間を決定すること、ここにおいて、前記ＣＣＡ検査を前記実行することが、前記アイドル時間が所定のしきい値を超えることに応答して行われる、をさらに含む、［７］に記載の方法。
［９］  プログラムコードを記録した非一時的コンピュータ可読媒体であって、前記プログラムコードは、
送信機によって、競合ベース無線周波数スペクトルを利用する少なくとも１つのキャリア上で、成功した拡張クリアチャネルアセスメント（ＥＣＣＡ）検査を検出することをコンピュータに行わせるためのプログラムコードと、ここにおいて、前記成功したＥＣＣＡ検査が、現在サブフレーム、現在スロット、または現在シンボルの内の１つの境界より前に行われ、
前記送信機によって、前記少なくとも１つのキャリア上で、前記成功したＥＣＣＡ検査と前記現在サブフレームのサブフレーム境界との間で、フラクショナルチャネル予約信号を送信することを前記コンピュータに行わせるためのプログラムコードと、ここにおいて、前記フラクショナルチャネル予約信号が、第１のシーケンスを使用して生成され、
前記送信機によって、前記少なくとも１つのキャリア上で、前記現在サブフレームの後の後続のサブフレームにおいて開始するチャネル予約信号を送信することを前記コンピュータに行わせるためのプログラムコードと、ここにおいて、前記チャネル予約信号が、前記第１のシーケンスとは異なる第２のシーケンスを使用して生成される、を含む、非一時的コンピュータ可読媒体。
［１０］  前記送信機によって、前記少なくとも１つのキャリア上での送信のためのデータを検出することを前記コンピュータに行わせるためのプログラムコードと、
前記送信機によって、前記成功したＥＣＣＡ検査を検出することに応答して、前記第１のシーケンスを生成することを前記コンピュータに行わせるためのプログラムコードと、  前記送信機によって、前記サブフレーム境界に達することに応答して、前記第２のシーケンスを生成することを前記コンピュータに行わせるためのプログラムコードと、
前記送信機によって、前記後続のサブフレームの後に前記データを送信することを前記コンピュータに行わせるためのプログラムコードと、をさらに含む、［９］に記載の非一時的コンピュータ可読媒体。
［１１］  前記送信機によって、前記成功したＥＣＣＡ検査の時間を検出することを前記コンピュータに行わせるためのプログラムコードと、
前記送信機によって、前記時間と前記現在サブフレームの現在サブフレームタイミングとを比較することを前記コンピュータに行わせるためのプログラムコードと、
前記送信機によって、前記時間が前記サブフレーム境界より前にあると決定することを前記コンピュータに行わせるためのプログラムコードと、をさらに含む、［９］に記載の非一時的コンピュータ可読媒体。
［１２］  前記第１のシーケンスは、前記第２のシーケンスの導出されたバージョンである、［９］に記載の非一時的コンピュータ可読媒体。
［１３］  前記導出されたバージョンは、
前記第２のシーケンスの反転順序、
前記第２のシーケンスの反転同相／直角位相順序、または
別のシーケンスによって乗算された前記第２のシーケンス、の内の１つである、［１２］に記載の非一時的コンピュータ可読媒体。
［１４］  ワイヤレス通信のために構成された装置であって、前記装置は、
少なくとも１つのプロセッサと、
前記少なくとも１つのプロセッサに結合されたメモリと
を備え、
ここにおいて、前記少なくとも１つのプロセッサは、
送信機によって、競合ベース無線周波数スペクトルを利用する少なくとも１つのキャリア上で、成功した拡張クリアチャネルアセスメント（ＥＣＣＡ）検査を検出することと、ここにおいて、前記成功したＥＣＣＡ検査が、現在サブフレーム、現在スロット、または現在シンボルの内の１つの境界より前に行われ、
前記送信機によって、前記少なくとも１つのキャリア上で、前記成功したＥＣＣＡ検査と前記現在サブフレームのサブフレーム境界との間で、フラクショナルチャネル予約信号を送信することと、ここにおいて、前記フラクショナルチャネル予約信号が、第１のシーケンスを使用して生成され、
前記送信機によって、前記少なくとも１つのキャリア上で、前記現在サブフレームの後の後続のサブフレームにおいて開始するチャネル予約信号を送信することと、ここにおいて、前記チャネル予約信号が、前記第１のシーケンスとは異なる第２のシーケンスを使用して生成される、を行うように構成された、装置。
［１５］  前記送信機によって、前記少なくとも１つのキャリア上での送信のためのデータを検出することと、
前記送信機によって、前記成功したＥＣＣＡ検査を検出することに応答して、前記第１のシーケンスを生成することと、
前記送信機によって、前記サブフレーム境界に達することに応答して、前記第２のシーケンスを生成することと、
前記送信機によって、前記後続のサブフレームの後に前記データを送信することと
を行うための前記少なくとも１つのプロセッサの構成をさらに含む、［１４］に記載の装置。
［１６］  前記送信機によって、前記成功したＥＣＣＡ検査の時間を検出することと、
前記送信機によって、前記時間と前記現在サブフレームの現在サブフレームタイミングとを比較することと、
前記送信機によって、前記時間が前記サブフレーム境界より前にあると決定することとを行うための前記少なくとも１つのプロセッサの構成をさらに含む、［１４］に記載の装置。
［１７］  前記第１のシーケンスは、前記第２のシーケンスの導出されたバージョンである、［１４］に記載の装置。
［１８］  前記導出されたバージョンは、
前記第２のシーケンスの反転順序、
前記第２のシーケンスの反転同相／直角位相順序、または
別のシーケンスによって乗算された前記第２のシーケンス、の内の１つである、［１７］に記載の装置。